(57)【要約】      （修正有）【課題】容易に使用することができる携帯端末用支持具を提供する。【解決手段】携帯端末用支持具１Ａは、基台上に載置される第１本体を備え、前記第１本体は、前記携帯端末の背面を支持する背面支持部１４Ａと、前記背面支持部１４Ａを前記第１本体に係止する第１係止部と、前記携帯端末の載置辺を支持する第２係止部２０Ａとを有し、１枚の板状部材を組み立てることにより形成されることを特徴とする。【選択図】図３
0003180141.tif 000002
【実用新案登録請求の範囲】
【請求項１】
携帯端末を基台上に支持する携帯端末用支持具において、
前記基台上に載置される第１本体を備え、
前記第１本体は、
前記携帯端末の背面を支持する背面支持部と、
前記背面支持部と一体に形成される基部とを有し、
前記基部は、
前記背面支持部を前記第１本体に係止する第１係止部と、
前記携帯端末の載置辺を支持する第２係止部と
が設けられており、
１枚の板状部材を組み立てることにより形成される
ことを特徴とする携帯端末用支持具。
【請求項２】
前記第１係止部及び前記第２係止部は、前記第１本体を切り起こして形成されていることを特徴とする請求項１記載の携帯端末用支持具。
【請求項３】
前記第１係止部及び前記第２係止部は、開口が互いに対向して形成されていることを特徴とする請求項２記載の携帯端末用支持具。
【請求項４】
前記背面支持部は、
一端に形成された前記第１本体に対し谷折りされる第１折返し線と、
中央部に形成された山折りされる第２折返し線と
を有し、
他端において前記第１係止部に係止される
ことを特徴とする請求項１〜３のいずれか１記載の携帯端末用支持具。
【請求項５】
前記第１係止部は
前記携帯端末を縦置きに支持する縦置き係止部と、
前記携帯端末を横置きに支持する横置き係止部と
を有することを特徴とする請求項１〜４のいずれか１項記載の携帯端末用支持具。
【請求項６】
前記背面支持部は、一対の脚部と、当該脚部の一端同士を接続する接続部とを有し、
前記脚部は、他端に前記第１折返し線が設けられ、長さ方向中央に前記第２折返し線が設けられており、
前記基部は、横長矩形状の前方基部と、当該前方基部の一方の長辺の略中央に連続して設けられた縦長矩形状の後方基部とを有し、
前記後方基部には前記第１係止部が設けられており、
前記前方基部には前記第２係止部が設けられ、
前記背面支持部は、前記脚部の他端において前記第１折返し線を境界として前記基部の一方の長辺の肩部分に接続され、前記基部と一体に形成されており、
前記脚部及び前記接続部の内周と、前記後方基部の外周は、第１切断線によって前記第１本体の厚さ方向に切断されている
ことを特徴とする請求項１〜５のいずれか１項に記載の携帯端末用支持具。
【請求項７】
組み立てられる前において、前記第１本体に切断可能に設けられた第２本体を備えていることを特徴とする請求項１〜６のいずれか１項記載の携帯端末用支持具。
【考案の詳細な説明】
【技術分野】
【０００１】
本考案は、携帯端末用支持具に関するものである。
【背景技術】
【０００２】
携帯端末としてスマートフォンやタブレット型コンピュータが普及している。これら携帯端末は、電子メールの送受信をはじめとして、インターネットの閲覧、テレビ・ビデオ視聴などを行うことができる。この携帯端末は、それまでの表示画面とキーボードとが分かれて配置されているのではなく、表面のほぼ全域に表示画面が配置されている。当該表示画面はいわゆるタッチパネル式であり、必要に応じ表示画面上にキーボードが表示される。
【０００３】
また、携帯端末は、本体が板状に形成されており、自立する構成とはなっていない。したがって、ユーザは例えば卓上などで携帯端末を使ってテレビなどを視聴する際は、常に携帯端末を手で保持するか、または携帯端末を所望の角度に保持し固定する必要がある。
【０００４】
このような携帯端末を固定できる簡易な支持具が開示されている（例えば特許文献１）。特許文献１に開示されている支持具は、底板、前板、後ろ板と接着板の連結する４枚の板で構成され、前板の表部分に設けられた粘着マットに携帯端末を支持する。
【先行技術文献】
【特許文献】
【０００５】
【特許文献１】実用新案登録第３０７２３８１号公報
【考案の概要】
【考案が解決しようとする課題】
【０００６】
しかしながら上記特許文献１では、接着板と底板前側端とを両面テープで固定しなければならず、組み立て作業が煩雑である。また粘着マットに固定された携帯端末を取り外す作業も煩雑である。
【０００７】
そこで本考案は、容易に使用することができる携帯端末用支持具を提供することを目的とする。
【課題を解決するための手段】
【０００８】
本考案の請求項１に係る携帯端末用支持具は、基台上に載置される第１本体を備え、前記第１本体は、前記携帯端末の背面を支持する背面支持部と、前記背面支持部と一体に形成される基部とを有し、前記基部は、前記背面支持部を前記第１本体に係止する第１係止部と、前記携帯端末の載置辺を支持する第２係止部とが設けられており、１枚の板状部材を組み立てることにより形成されることを特徴とする。
【考案の効果】
【０００９】
本考案の請求項１によれば、板状部材で形成された第１本体を折り返し、そして切り起こした第１係止部に背面支持部の他端を係合して形成されることにより、接着剤や複雑な係合方法を採用する必要がないため、容易に組み立てることができる。また、支持具は載置辺を第２係止部に係合させ背面支持部との間に挟むようにして携帯端末を傾斜させた状態で支持しているから、単に携帯端末を持ち上げるだけで支持具から取り外すことができる。したがって、支持具は従来に比べ格段と容易に使用することができる。
【図面の簡単な説明】
【００１０】
【図１】本考案の実施形態に係る携帯端末用支持具の展開図である。
【図２】本考案の実施形態に係る携帯端末用支持具の組立方法を段階的に示す斜視図であり、図２Ａは横置き係止部を切り起こした段階、図２Ｂは背面支持部を立ち上げ固定した段階、図３Ｂは第２係止部を切り起こした段階を示す図である。
【図３】本考案の実施形態に係る携帯端末用支持具の全体構成（１）を示す斜視図であり、図３Ａは正面及び右側面を含む斜視図、図３Ｂは背面及び左側面を含む斜視図である。
【図４】本考案の実施形態に係る携帯端末用支持具の使用状態（１）を示す斜視図であり、図４Ａは正面及び右側面を含む斜視図、図４Ｂは背面及び左側面を含む斜視図である。
【図５】本考案の実施形態に係る携帯端末用支持具の全体構成（２）を示す斜視図であり、図５Ａは正面及び右側面を含む斜視図、図５Ｂは背面及び左側面を含む斜視図である。
【図６】本考案の実施形態に係る携帯端末用支持具の使用状態（２）を示す斜視図であり、図６Ａは正面及び右側面を含む斜視図、図６Ｂは背面及び左側面を含む斜視図である。
【図７】本考案の変形例（１）に係る携帯端末用支持具の展開図である。
【図８】本考案の変形例（２）に係る携帯端末用支持具の展開図である。
【考案を実施するための形態】
【００１１】
以下、図面を参照して本考案の実施形態について詳細に説明する。
（１）第１実施形態
（全体構成）
図１は携帯端末用支持具（以下「支持具」）１Ａの展開図である。支持具１Ａは、板状部材である型紙、厚紙などで構成される。支持具１Ａは、略矩形状の第１本体１０Ａと、当該第１本体１０Ａの一端に切り取り可能に形成された第２本体１２Ａとを備える。第１本体１０Ａと第２本体１２Ａとの境界には厚さ方向に部分的に切断された切り取り線１３Ａが形成されている。第２本体１２Ａは、第１本体１０Ａと略同じ大きさを有する矩形状の部材で形成されている。
【００１２】
第１本体１０Ａは、背面支持部１４Ａと基部１６Ａとを有する。背面支持部１４Ａは、冂の字形に形成され、一対の脚部１５と、当該脚部１５の一端同士を接続する接続部１７とを有する。脚部１５は、他端に第１折返し線Ｌ１が設けられ、長さ方向中央に第２折返し線Ｌ２が設けられている。
【００１３】
基部１６Ａは、凸形に形成され、横長矩形状の前方基部１９と、当該前方基部１９の一方の長辺の略中央に連続して設けられた縦長矩形状の後方基部２３とを有する。後方基部２３には第１係止部１８Ａが設けられている。
【００１４】
第１係止部１８Ａは、縦置き係止部２１Ａと横置き係止部２２Ａとを有し、後方基部２３の長さ方向に基部１６Ａに近い方から順に連接されている。縦置き係止部２１Ａは、略Ｕ字型に後方基部２３を厚さ方向に切断した第２切断線Ｃ２と、当該第２切断線Ｃ２の端部同士を結ぶように設けられた第３折返し線Ｌ３とを有する。同様に、横置き係止部２２Ａは、略Ｕ字型に後方基部２３を厚さ方向に切断した第３切断線Ｃ３と、当該第３切断線Ｃ３の端部同士を結ぶように設けられた第４折返し線Ｌ４とを有する。
【００１５】
前方基部１９には、第２係止部２０Ａが設けられている。第２係止部２０Ａは、横長冂の字形に前方基部１９を厚さ方向に切断した第４切断線Ｃ４と、当該第４切断線Ｃ４の端部同士を結ぶように設けられた第５折返し線Ｌ５とを有する。
【００１６】
背面支持部１４Ａはその先端である脚部１５の他端において第１折返し線Ｌ１を境界として基部１６Ａの肩部分に接続され、基部１６Ａと一体に形成されている。脚部１５及び接続部１７の内周と、後方基部２３の外周は、第１切断線Ｃ１によって第１本体１０Ａの厚さ方向に切断されている。
【００１７】
（組立て方法）
上記のように構成された支持具１Ａの組立方法について図２を参照して説明する。まず切り取り線１３Ａにおいて第２本体１２Ａを第１本体１０Ａから切り離す。次いで、第２切断線Ｃ２で囲まれた部分を後方基部２３の下側から押し出し、第３折返し線Ｌ３において谷折りすることにより、縦置き係止部２１Ａを切り起こす（図２Ａ）。切り起こされた縦置き係止部２１Ａは第２係止部２０Ａに向かって開口している。
【００１８】
次いで、背面支持部１４Ａを下側から起こして第１折返し線Ｌ１において谷折りすると共に、第２折返し線Ｌ２において山折りすることにより、背面支持部１４Ａを三角形状に折り曲げる。そして切り取り線１３Ａが形成された背面支持部１４Ａの一端を先程切り起こした縦置き係止部２１Ａに係合させ、背面支持部１４Ａを立ち上げ固定する（図２Ｂ）。
【００１９】
最後に、第４切断線Ｃ４で囲まれた部分を前方基部１９の下側から押し出し、第５折返し線Ｌ５において谷折りすることにより、第２係止部２０Ａを切り起こす（図２Ｃ）。切り起こされた第２係止部２０Ａは、縦置き係止部２１Ａに向かって開口している。
【００２０】
このように組み立てられた支持具１Ａは、図３に示すように、基部１６Ａが水平に配置されると共に、三角形状に立ち上げ形成され背面支持部１４Ａが基部１６Ａと一体となって、その形状が第１係止部１８Ａによって保持されている。さらに支持具１Ａは、背面支持部１４Ａに対向する位置に第２係止部２０Ａが設けられている。
【００２１】
（作用及び効果）
支持具１Ａの作用及び効果について説明する。図４に示すように、支持具１Ａは、携帯端末としてのスマートフォン３０の下側の短辺３２を第２係止部２０Ａに係合させると共に、スマートフォン３０の背面を背面支持部１４Ａ表面に当接させた状態で、スマートフォン３０を縦向きに支持する。この場合、短辺３２が載置辺となる。これにより支持具１Ａはスマートフォン３０の表面に設けられた表示画面３３をやや斜めに保持した状態で第２係止部２０Ａと背面支持部１４Ａの間に挟むようにしてスマートフォン３０を支持することができる。
【００２２】
このように支持具１Ａは板状部材で形成された第１本体１０Ａを折り返し、そして切り起こした第１係止部１８Ａに背面支持部１４Ａの他端を係合して形成されることにより、接着剤や複雑な係合方法を採用する必要がないため、容易に組み立てることができる。
【００２３】
しかも、支持具１Ａは載置辺である短辺３２を第２係止部２０Ａに係合させ背面支持部１４Ａとの間に挟むようにしてスマートフォン３０を傾斜させた状態で支持しているから、単にスマートフォン３０を持ち上げるだけで支持具１Ａから取り外すことができる。したがって、支持具１Ａは従来に比べ格段と容易に使用することができる。
【００２４】
支持具１Ａは、第２本体１２Ａを切断可能に設けることとしたから、当該第２本体１２Ａに名刺や広告などを記載することにより、用途を拡張することができる。
【００２５】
支持具１Ａは、図５に示すように、背面支持部１４Ａの一端を横置き係止部２２Ａに係合させることとしてもよい。この場合、横置き係止部２２Ａは、第３切断線Ｃ３で囲まれた部分を後方基部２３の下側から押し出し、第４折返し線Ｌ４において谷折りすることにより、切り起こす。スマートフォン３０の一方の長辺３１を載置辺として第２係止部２０Ａに係合させると共に、スマートフォン３０の背面を背面支持部１４Ａ表面に当接させた状態で、スマートフォン３０を横向きに支持することができる（図６）。この場合、横置き係止部２２Ａは縦置き係止部２１Ａより基部１６Ａから離れた位置に形成されているため、背面支持部１４Ａは基部１６Ａに対する傾斜角度が小さくなる。これにより支持具１Ａは、縦置きの場合に比べ表示画面３３を寝かせた状態でスマートフォン３０を支持することができる。
【００２６】
本実施形態に係る支持具１Ａは、第１係止部１８Ａとして縦置き係止部２１Ａと横置き係止部２２Ａとを有するので、表示画面３３を所望の向きに保持した状態でスマートフォン３０を支持することができる。
【００２７】
支持具１Ａは、スマートフォン３０を縦置きに支持する場合に比べ横置きに支持する場合において、基部１６Ａ表面に対するスマートフォン３０の傾斜角度を小さくした。これにより支持具１Ａは、スマートフォン３０の向きにあった角度で表示画面３３を保持することができるので、ユーザの使い勝手をより向上することができる。
【００２８】
別の観点において支持具１Ａは、縦置きの場合、スマートフォン３０の重心位置が高いので、スマートフォン３０を寝かせた状態で支持しようとする場合、背面支持部１４Ａにかかる荷重が大きくなってしまう。本実施形態では縦置きの場合において、基部１６Ａに対する傾斜角度を大きくしてスマートフォン３０をより垂直に近い角度で保持することで、背面支持部１４Ａにかかるスマートフォン３０の自重を減らすこととした。これにより、支持具１Ａは受ける最大荷重を最小化することができるので、全体としてより小型化することができる。
【００２９】
支持具１Ａは、第１係止部１８Ａと第２係止部２０Ａの開口が互いに対向しており、これによりスマートフォン３０から受ける荷重を基部１６Ａの引張方向の力に変換している。したがって支持具１Ａはスマートフォン３０の自重を効率よく分散して吸収する構成としているので、より簡素化及び小型化を実現することができる。
【００３０】
（２）変形例
本考案は上記実施形態に限定されるものではなく、本考案の趣旨の範囲内で適宜変更することが可能である。
【００３１】
上記実施形態では、第１本体１０Ａは型紙、厚紙などで構成する場合について説明したが、本考案はこれに限らず、型紙、厚紙などの表面に撥水性のコーティング、例えばポリプロピレン（ＰＰ）フィルムを施すこととしてもよい。コーティングを施すことにより、汚れや水に強い支持具１Ａを提供することができる。また支持具１Ａは紙だけでなく、合成樹脂、例えばポリエチレンテレフタレート（ＰＥＴ）で構成することとしてもよい。
【００３２】
上記実施形態では、支持具１Ａは第１本体１０Ａが第２本体１２Ａと切断可能に接続されている場合について説明したが、本考案はこれに限らず、第２本体１２Ａはなくてもよい。
【００３３】
上記実施形態では、携帯端末としてスマートフォン３０を適用した場合について説明したが、本考案はこれに限らず、携帯端末としてタブレット型コンピュータ（図示しない）を適用することとしてもよい。この場合、支持具１Ｂは図７に示すように、タブレット型コンピュータの大きさに合わせ、各部が図１に比べ大きく形成されている。なお、図７は図１と同様の構成について同様の符号を付している。
【００３４】
上記実施形態では、第２本体１２Ａは、第１本体１０Ａと略同じ大きさを有する矩形状の部材で形成されている場合について説明したが、本考案はこれに限らない。例えば、図１と同様の構成について同様の符号を付した図８に示すように、支持具１Ｃは、円形状の第２本体１２Ｃの略中心位置に、当該第２本体１２Ｃと切断可能に本体１０Ｃを設けることとしてもよい。この場合、第２本体１２Ｃには厚さ方向に貫通する貫通穴３８が設けられている。支持具１Ｃは、本体１０Ｃと第２本体１２Ｃが未だ切断されていない状態において、ユーザが貫通穴３８に親指を挿入して保持することにより、全体として団扇として使用することができる。
【符号の説明】
【００３５】
１Ａ      ：支持具（携帯端末用支持具）
１０Ａ    ：第１本体
１２Ａ    ：第２本体
１４Ａ    ：背面支持部
１６Ａ    ：基部
１８Ａ    ：第１係止部
２０Ａ    ：第２係止部
２１Ａ    ：縦置き係止部
２２Ａ    ：横置き係止部
３０      ：スマートフォン（携帯端末）
Ｌ１      ：第１折返し線
Ｌ２      ：第２折返し線
【図１】
0003180141.tif 000003
【図２】
0003180141.tif 000004
【図３】
0003180141.tif 000005
【図４】
0003180141.tif 000006
【図５】
0003180141.tif 000007
【図６】
0003180141.tif 000008
【図７】
0003180141.tif 000009
【図８】
0003180141.tif 000010